(57)【要約】【課題】  使用者が目的に合わせて自由に組み立てて多用途に使用可能なシート張設体を提供する。【解決手段】  骨組材と、複数のランナーと、シート材と、連結具を備え、骨組材は、筒状であり、内部には中心から側壁へ向かって放射状に延びる四つの仕切壁が長手方向に沿って設けてあり、側壁には、仕切壁と仕切壁の間にそれぞれ長手方向に延びる開口溝が形成してあり、連結具は、骨組材同士を連結し、ランナーは、骨組材の開口溝に沿って摺動可能で開口溝の任意の位置に固定されるものであり、シート材は、各ランナーに取り付けてある。【選択図】      図１
2019183418.tif 000002
【特許請求の範囲】
【請求項１】
骨組材と、複数のランナーと、シート材と、連結具を備え、
骨組材は、筒状であり、内部には中心から側壁へ向かって放射状に延びる四つの仕切壁が長手方向に沿って設けてあり、側壁には、仕切壁と仕切壁の間にそれぞれ長手方向に延びる開口溝が形成してあり、
連結具は、骨組材同士を連結し、
ランナーは、骨組材の開口溝に沿って摺動可能で開口溝の任意の位置に固定されるものであり、
シート材は、各ランナーに取り付けてあることを特徴とするシート張設体。
【請求項２】
複数の骨組材同士は角度を有するように連結具によって連結され、
骨組材は骨組材同士を長手方向に連結可能な連結部を有することを特徴とする請求項１に記載のシート張設体。
【発明の詳細な説明】
【技術分野】
【０００１】
本発明は、パーテーションやテント等のシート張設体に関する。
【背景技術】
【０００２】
従来、工事現場や催事等において、パイプによって骨組みされ、シート材が張設された簡易テントが用いられている。
【先行技術文献】
【特許文献】
【０００３】
【特許文献１】特開昭５８‐０８９２０９号公報
【発明の概要】
【発明が解決しようとする課題】
【０００４】
特許文献１には、角パイプによって構成される簡易テントであって、テント枠の組立作業を簡易化したものが提案されている。このような簡易テントは、角パイプによって骨組みした後、屋根部分にシート材を張るが、多くの場合、その骨組に合わせた形状の専用のシート材を用いる必要があった。また、シート材を角パイプへ取り付けるための連結部材が別途必要となる場合があり、シート材を張設する作業に手間が掛かることも問題であった。さらに、このような簡易テントは、角パイプによって構成される骨組みがある程度決められた形状のものであるため、テント以外には転用できず、使用者が目的に合わせて多用途に使用することはできなかった。
本発明は上記事情を鑑み、簡易テントだけでなく、災害時に避難所で用いることのできるパーテーション等、使用者が目的に合わせて自由に組み立てて多用途に使用可能なシート張設体を提供することを目的とする。
【課題を解決するための手段】
【０００５】
本発明は、骨組材と、複数のランナーと、シート材と、連結具を備え、骨組材は、筒状であり、内部には中心から側壁へ向かって放射状に延びる四つの仕切壁が長手方向に沿って設けてあり、側壁には、仕切壁と仕切壁の間にそれぞれ長手方向に延びる開口溝が形成してあり、連結具は、骨組材同士を連結し、ランナーは、骨組材の開口溝に沿って摺動可能で開口溝の任意の位置に固定されるものであり、シート材は、各ランナーに取り付けてあることを特徴とする。
【０００６】
また、複数の骨組材同士は角度を有するように連結具によって連結され、骨組材は骨組材同士を長手方向に連結可能な連結部を有することが望ましい。
【発明の効果】
【０００７】
本発明によれば、骨組材は筒状であり、内部には中心から側壁へ向かって放射状に延びる四つの仕切壁が長手方向に沿って設けてあり、側壁には、仕切壁と仕切壁の間にそれぞれ長手方向に延びる開口溝が形成してあるため、骨組材の四方にシート材を張設することが可能であり、骨組材を様々な形状に組み立てて、多目的に使用可能なシート張設体とすることができる。また、複数のランナーによって様々な態様でシート材を取り付けできるので、シート材は専用の形状のものを用いる必要がなく、いわゆるブルーシート等、方形の一般的なシート材を用いることができる。骨組材に予め複数のランナーを取り付けておけば、シート張設体の設置現場において、骨組材を組み立てて、シート材をランナーへ取り付けるだけで作業が完了するので、簡単に設置可能、かつ、素早く作業ができて効率が良い。
シート材を取り付けるランナーは、骨組材の開口溝に沿って摺動可能で開口溝の任意の位置に固定されるものであり、シート材の取り付けが容易であり、ランナーを摺動させることによってシート材を自在に移動できるためシート張設体の用途がより広がる。
さらに、骨組材の内部には中心から側壁へ向かって放射状に延びる四つの仕切壁が長手方向に沿って設けてあることにより、例えば本発明を仕切に適用した場合には、開口溝から裏側が見えないので、プライバシーを守ることができる。また、骨組材の強度も高い。
【０００８】
また、複数の骨組材同士は角度を有するように連結具によって連結され、骨組材は骨組材同士を長手方向に連結可能な連結部を有する構成とすれば、骨組材を様々な大きさ及び形状に組み立て自在であるので、より多目的に使用可能なシート張設体とすることができる。
【図面の簡単な説明】
【０００９】
【図１】（ａ）は骨組材の正面図、（ｂ）はＡ−Ａ線端面図。（ｃ）はＡ−Ａ線断面図を示す。
【図２】骨組材の斜視図である。
【図３】骨組材の他の実施形態であり、（ａ）は斜視図、（ｂ）はＢ−Ｂ線端面図を示す。
【図４】（ａ）（ｂ）は本発明のシート張設体をパーテーションに適用した使用例を示す斜視図である。
【図５】本発明のシート張設体を簡易テントに適用した使用例を示し、（ａ）は骨組材を組み立てた状態の斜視図、（ｂ）はシート材を張設した状態の斜視図である。
【発明を実施するための形態】
【００１０】
以下、本発明の実施の形態を図面に基づいて説明する。
本発明に係るシート張設体は、骨組材１と、複数のランナー２と、シート材３と、連結具４とを備える。骨組材１同士は連結具４によって連結されて、パーテーションや簡易テント等の骨組を構成し、骨組材１に取り付けたランナー２によってシート材３を張設することによってシート張設体が完成する。
【００１１】
骨組材１は、材質は特に限定されないが、例えば金属製の長尺角材であって、図１（ａ）に示すような略四角筒状であり、四つの角部１０を有する。骨組材１の各側壁には、それぞれ長手方向に延びる開口溝１１が形成してある。開口溝１１の一端部には、開口溝１１の幅を広げて形成されたランナー挿入口１１ａが設けてある。骨組材１の内部は、図１（ｂ）に示すように、中心Ｃから各角部１０へ放射状に繋がる仕切壁１２が四つ設けてある。言い換えれば、隣接する二つの仕切壁１２，１２と開口溝１１を有する側壁によって形成される断面視略三角形の空間が四つ集まって断面視略四角形状を形成している。また、骨組材１は、長手方向両端部に連結部１３，１４を形成してある。一方の端部には凸状連結部１３が形成してあり、他方の端部には凹状連結部１４が形成してあるため、一の骨組材１の凸状連結部１３へ他の骨組材１の凹状連結部１４を嵌合させて、二つの骨組材１，１を長手方向に連結することができる。また、凸状連結部１３に突起１３ａを設け、凹状連結部１４に突起１３に対向する嵌合孔１４ａを設け、凸状連結部１３と凹状連結部１４を連結した際に、突起１３ａが嵌合孔１４ａに嵌まり込むものとしてもよい。なお、骨組材１は図１及び図２に示すような四角筒状に限られず、図３に示すような円筒状であってもよい。
【００１２】
ランナー２は、骨組材１の開口溝１１の任意の場所に任意の数を取り付け自在であって、開口溝１１に沿って摺動可能である。ランナー２は、図１（ｃ）に示すように、固定ネジ２０とランナー本体２１とシート材係止部２２とネジ締め部２３から構成されている。
ランナー本体２１は、開口溝１１から外に露出する正面部２１ａと開口溝１１の中に位置する背面部２１ｂからなる。背面部２１ｂは開口溝１１よりも幅広であるが、この背面部２１ｂを開口溝１１に設けたランナー挿入口１１ａから開口溝１１内へ挿入し、開口溝１１に沿って摺動させることができる。ランナー本体２１の正面部２１ａにはネジ締め部２３が設けてあり、ネジ締め部２３は固定ネジ２０と繋がっている。固定ネジ２０はランナー本体２１の表裏に挿通されており、ランナー２の表側に露出するネジ締め部２３によって操作可能である。図１（ｃ）中の矢印で示すように、ネジ締め部２３を把持して回転させることによって、固定ネジ２０が開口溝１１内に向かって延び、二つの仕切壁１２によって形成された中心Ｃの角部において固定することができる。この機構によって、ランナー２は開口溝１１の任意の位置に、ワンタッチで簡単に固定することができる。
シート材係止部２２は、骨組材１の外周に位置してシート材３を係止できるものであれば形状は問わないが、例えば、図１（ｃ）や図２に示すように、フック型やピンチ型が適用できる。フック型のシート材係止部２２を有するフック型ランナー２４は、シート材３が孔３０を有する場合に容易にシート材３を係止することができる。また、ピンチ型のシート材係止部２２を有するピンチ型ランナー２５は、シート材３に孔３０が設けてない場合でも、容易にシート材３を係止することができる。
【００１３】
シート材３は、いわゆるブルーシートやその他様々な大きさの一般的な方形のシート材３を使用することが可能であり、材質は特に限定されない。シート材３は、ランナー２を介して骨組材１に取り付けられる。図４及び図５に示すような、縁部にハトメで補強された孔３０を有するものであれば、フック型ランナー２４に引っ掛けることができる。市販されている種々のシート材３を用いることが可能であるが、メーカーによっては孔３０の数や位置が異なるものや、孔３０が空いていないシート材３もある。その場合も、ランナー２の位置を動かして孔３０の位置に合わせたり、ピンチ型ランナー２５で挟むことができるので、どのようなシート材３も適用できる。
【００１４】
連結具４は、骨組材１同士を連結するものである。図４（ａ）に示すように、二つの骨組材１の端部同士を覆うように約９０度に連結して固定可能な連結具４１や、一の骨組材１の中間部に嵌め込んで、他の骨組材１の端部を連結させて固定可能な連結具４２、さらには、図４（ｂ）及び図５（ａ）（ｂ）に示すように、三本以上の骨組材１を立体的に連結させることが可能な連結具４３，４４，４５等、様々な形状のものを適用できる。なお、図５において、簡易テントは複数の骨組材１を連結させて柱５，６としてあり、前側の柱５と後側の柱６は高さが異なっている。そのため、簡易テントの屋根部分は後側から前側に向かって下方に傾斜しているが、このような構成とするために、連結具４４，４５は屋根の傾斜角度に合わせて骨組材１同士を連結可能としてある。
【００１５】
このように構成したシート張設体によれば、骨組材１は筒状であり、内部には中心Ｃから側壁へ向かって放射状に延びる四つの仕切壁１２が長手方向に沿って設けてあり、側壁には、仕切壁１２と仕切壁１２の間にそれぞれ長手方向に延びる開口溝１１が形成してあるため、骨組材１から四方にシート材３を張設することが可能であり、骨組材１を様々な形状に組み立てて、多目的に使用可能なシート張設体とすることができる。また、複数のランナー２によって様々な態様でシート材３を取り付けできるので、シート材３は専用の形状のものを用いる必要がなく、いわゆるブルーシート等、方形の一般的なシート材３を用いることができる。骨組材１に予め複数のランナー２を取り付けておけば、シート張設体の設置現場において、骨組材１を組み立てて、シート材３をランナー２へ取り付けるだけで作業が完了するので、簡単に設置可能、かつ、素早く作業ができて効率が良い。
シート材３を取り付けるランナー２は、骨組材１の開口溝に取り付け自在、かつ、開口溝１１に沿って摺動可能であるため、シート材３の取り付けが容易であり、ランナー２を摺動させることによってシート材３を自在に移動できるためシート張設体の用途がより広がる。
さらに、骨組材１の内部には中心Ｃから側壁へ向かって放射状に延びる四つの仕切壁１２が長手方向に沿って設けてあることにより、例えば本発明をパーテーションに適用した場合には、開口溝１１から裏側が見えないので、プライバシーを守ることができる。また、骨組材１の強度も高い。
また、複数の骨組材１同士は角度を有するように連結具４によって連結され、骨組材１は骨組材１同士を長手方向に連結可能な連結部１３，１４を有する構成とすれば、骨組材１を様々な大きさ及び形状に組み立て自在であるので、より多目的に使用可能なシート張設体とすることができる。
【００１６】
本発明は、上記の実施形態に限定されない。例えば、ランナーは開口溝に取り付け自在かつ、シート材を係止できるものであれば、リング型、フック型、ピンチ型に限らずどのような態様のものでも良い。固定ネジは、開口溝へ固定自在であれば、どのような形態でもよい。そして、骨組材の連結部は嵌合自在な凹部と凸部には限られず、連結可能であればどのような態様のものでもよく、骨組材はシート張設体の用途に合わせてその材質や長さ、及び太さを適宜変更できる。
【符号の説明】
【００１７】
１      骨組材
２      ランナー
３      シート材
４      連結具
１０      角部
１１      開口溝
１２      仕切壁
１３      連結凸部（連結部）
１４      連結凹部（連結部）
２０      固定ネジ
２１      ランナー本体
２２      シート材係止部
２３      ネジ締め部
２４      フック型ランナー
２５      ピンチ型ランナー
４１      連結具
４２      連結具
４３      連結具
４４      連結具
４５      連結具
【図１】
2019183418.tif 000003
【図２】
2019183418.tif 000004
【図３】
2019183418.tif 000005
【図４】
2019183418.tif 000006
【図５】
2019183418.tif 000007